(57)【要約】【課題】操作性に優れ、遮光性が良好なフィルムキャリアを提供することを目的とする。【解決手段】マスク機構が設置されるフィルムキャリアは画像読取装置にセットされて画像読取される。この際、マスク１０６上にフィルムＦをセットするためアッパーガイド１０８を開放する。この結果、アッパーガイド１０８の上面にあった第２遮光部材１１４が読取部のケーシング４４の下面４４Ａに磁着される。また、マスク１０６上に位置決めされたフィルムＦを固定するためにアッパーガイド１０８を閉塞した場合でも、第２遮光部材１１４の遮光カーテン１６４が伸縮自在であるため、第２遮光部材１１４の上部材１６２が下面４４Ａから離間しない。このように、フィルムキャリアでは、フィルムＦをセットするためのアッパーガイド１０８の開閉動作によって自動的に遮光され、遮光するために特別な操作が不要となり操作性が向上すると共に、完全に遮光できる。【選択図】　図９
2004117548.tif 000002
【特許請求の範囲】
【請求項１】
画像読取装置の画像読取部に近接してセットされた状態で、読取位置に画像記録媒体を位置決めして保持するフィルムキャリアであって、
画像記録媒体が読取位置に設置されるマスク部材と、
前記マスク部材に対して開閉自在に構成され、開放時にマスク上の読取位置に画像記録媒体を設置可能とし、閉塞時に読取位置に位置決めされた画像記録媒体を前記マスク部材上に圧着する圧着部材と、
前記圧着部材の前記読取部側に配設される伸縮自在の遮光部材と、
を備え、前記圧着部材の開放によって前記遮光部材の端部が画像読取部に接着することを特徴とするフィルムキャリア。
【発明の詳細な説明】
【０００１】
【発明の属する技術分野】
本発明は、画像読取装置にセットされた状態で、画像記録媒体をマスク部材上に位置決めして画像情報の読取に使用されるフィルムキャリアに関する。
【０００２】
【従来の技術】
写真フィルムに記録されたフィルム画像をＲ、Ｇ、Ｂの各色成分に分解して読取り、読み取られた画像データに対して補正等の画像処理を行った後、記録材料やディスプレイ上へ表示する写真処理装置が提案されている。
【０００３】
この写真処理装置では、フィルムキャリア上に写真フィルムを位置決めした後、光源からの読取光をフィルムキャリア上の写真フィルムに照射し、写真フィルムを透過した読取光が読取部のＣＣＤセンサに入射することによって、画像情報が読み取られる。
【０００４】
ところで、写真フィルムが位置決めされるフィルムキャリアと、ＣＣＤセンサが配設された読取部のケーシングの間には間隙があり、その間隙からＣＣＤセンサに外光が入射することがある。この場合には、画像色再現不良、Ｓ／Ｎ比の悪化、シェーディング状態変化等の画質劣化を生ずる。例えば、リバーサルフィルム原稿であれば、シャドー部の階調表現が悪化する。
【０００５】
そこで、このような外光による画質劣化を防止するために、フィルムキャリア本体に遮光部材をつけることが考えられる。例えば、フィルムキャリア本体に遮光部材を取り付け、フィルムキャリアと画像読取部のケーシングの間から外光がＣＣＤに入射しないように構成することが考えられる。
【０００６】
また、画像読取部のケーシングに遮光部材を取り付ける構成も考えられる。この場合には、フィルムキャリアを囲むように遮光部材をケーシングに取りつけるだけで、十分な遮光性が確保される。
【０００７】
【発明が解決しようとする課題】
しかしながら、フィルムキャリアに遮光部材を設ける場合に、フィルムキャリアとケーシングの間隙から外光が入射しないように構成し、しかも画像読取装置に対してフィルムキャリアを着脱する際にフィルムキャリアとケーシングが干渉しないように構成すると、フィルムキャリア（遮光部材）に要求される寸法精度が厳しくなるという不都合がある。また、フィルムキャリアでは、フィルムをマスク上にセットする場合にマスクにフィルムを圧着させてフィルムの位置ずれを防止する圧着板を開閉するが、ケーシングとフィルムキャリアの間隙が小さくなるとフィルムキャリアセット時の圧着板の開閉動作が困難になる。または、フィルムを交換する度にフィルムキャリアを画像読取装置におけるセット位置から離脱させることが必要になり、操作性が劣化するという不都合がある。
【０００８】
一方、ケーシングに遮光部材を取り付ける場合には、フィルムキャリアに遮光部材を設ける場合のような寸法精度は要求されない。しかし、ケーシングに遮光部材を取りつけると、フィルムキャリアに取りつけられた圧着板の開閉動作を行なうことが困難になり、次のフィルムをセットするために遮光部材をケーシングから取り外すか、フィルムキャリアをセット位置から離脱させる必要がある。すなわち、フィルム交換等の取り扱い性が悪化するという不都合があった。
【０００９】
本発明は上記事実を考慮し、遮光性を十分に確保できると共に、操作性が良好なフィルムキャリアを提供することを課題とする。
【００１０】
【課題を解決するための手段】
請求項１に記載の発明は、画像読取装置の画像読取部に近接してセットされた状態で、読取位置に画像記録媒体を位置決めして保持するフィルムキャリアであって、画像記録媒体が読取位置に設置されるマスク部材と、前記マスク部材に対して開閉自在に構成され、開放時にマスク上の読取位置に画像記録媒体を設置可能とし、閉塞時に読取位置に位置決めされた画像記録媒体を前記マスク部材上に圧着する圧着部材と、前記圧着部材の前記読取部側に配設される伸縮自在の遮光部材と、を備え、前記圧着部材の開放によって前記遮光部材の端部が画像読取部に接着することを特徴とする。
【００１１】
請求項１記載の発明の作用について説明する。
【００１２】
オペレータは、マスク部材上に画像記録媒体をセットするために、圧着部材を開放して圧着部材とマスク部材の間から画像記録媒体を挿入してマスク部材上の読取位置に画像記録媒体を位置決めする。この際、圧着部材に配設された遮光部材は、圧着部材の開放動作によって画像読取部と接着する。続いて、位置決めされた画像記録媒体の固定のために圧着部材をマスク部材に対して閉塞しても、伸縮自在な遮光部材は画像読取部に接着した状態を維持する。すなわち、遮光部材が少なくとも圧着部材から画像読取部までの光路を外部から確実に遮光することができ、画像読取装置における画像読取が良好になる。また、画像記録媒体をマスク部材上に位置決めするための圧着部材の開放動作によって遮光部材が画像読取部に自動的に接着し、閉塞しても接着状態を維持するため、遮光のための独自の操作が不要となる。さらに、画像記録媒体を交換するために圧着部材を開閉しても伸縮自在な遮光部材は遮光状態を維持できるので、操作性が良好である。
【００１３】
【発明の実施の形態】
（フィルムキャリアが搭載される画像読取装置の概要）
図１および図２に示すように、画像読取装置１４は、パソコン１６、キーボード１２、及びディスプレイ１８が設けられた作業テーブル２２を備えている。
【００１４】
画像読取装置１４は、ネガフィルムやリバーサルフィルムの写真フィルムなどの写真感光材料（以下単に写真フィルムと称する）に記録されているフィルム画像を読み取るためのものである。ここでいう、「写真フィルム」とは、被写体を撮影後、現像処理され、ネガ画像又はポジ画像が可視化されたフィルムをいう。
【００１５】
パソコン１６は、画像読取装置１４から出力された画像データが入力されると共に、入力された画像データに対して補正等の画像処理を行って、記録用画像データとして、図示しないレーザプリンタ部へ出力する。
【００１６】
画像読取装置１４の光学系は、図２に示すように、作業テーブル２２の下方に配置された光源部３０、作業テーブル２２に支持された拡散ボックス４０、作業テーブル２２にセットされるフィルムキャリア３８、及び作業テーブル２２を挟んで光源部３０の反対側に配置された読取部６０を備えている。
【００１７】
光源部３０は金属製のケーシング６２内に収容されており、ケーシング６２の内部には、ハロゲンランプやメタルハライドランプ等から成るランプ３２が配置されている。ランプ３２の光の一部はリフレクタ６６によって反射され、一定の方向へ射出される。
【００１８】
一方、図２に示すように、リフレクタ６６の光射出側には、リフレクタ６６からの射出光の光軸Ｌに沿って、紫外域及び赤外域の波長の光をカットすることで写真フィルムの温度上昇を防止し読取精度を向上させるＵＶ／ＩＲカットフィルタ７０、ランプ３２からの光及びリフレクタ６６からの射出光の光量を調整する絞り７２、及び読取部６０に到達する光の色成分を、写真フィルムの種類（ネガフィルム／リバーサルフィルム）に応じて適切に設定するバランスフィルタ３６が設けられている。絞り７２は光軸Ｌを挟んで配置された一対の板材から成り、一対の板材が接近離間するようにスライドする。
【００１９】
バランスフィルタ３６から拡散ボックス４０に入射された光は、光拡散板によって拡散光とされてフィルムキャリア３８（すなわち写真フィルム）に向けて射出される。このように、拡散ボックス４０から射出される光が拡散光とされることにより、写真フィルムに照射される光の光量むらが低減され、フィルム画像に均一な光量の光が照射されると共に、フィルム画像に傷が付いていたとしても、この傷が目立ちにくくなる。
【００２０】
読取部６０のケーシング４４の内部には、上面にエリアＣＣＤ７４が取付けられた載置台７６が設けられており、載置台７６からは支持レール７８が複数本垂下されている。
【００２１】
支持レール７８には、縮小・拡大等の変倍のために作業テーブル２２と接近離間する方向Ａにスライド移動可能にレンズユニット５０が支持されている。作業テーブル２２には支持フレーム８０が立設されている。載置台７６は、支持フレーム８０に取り付けられたガイドレール４２に、上記変倍やオートフォーカス時に共役長を確保するために作業テーブル２２と接近離間する方向Ｂにスライド移動可能に支持されている。
【００２２】
レンズユニット５０は複数枚のレンズから成り、複数枚のレンズの間にはレンズ絞り８２が設けられている。この絞り８２により通過する光の光量が変化する構成である。
〔フィルムキャリアの構成〕
このように構成される画像読取装置１４に装着されるフィルムキャリア１００は、図３に示すように、基台１０２と、基台１０２に対して磁着されフィルムサイズに対応して交換されるマスク機構１０４とから基本的に構成される。
【００２３】
マスク機構１０４は、図４に示すように、写真フィルム（以下、単にフィルムという）が載置されるマスク１０６と、マスク１０６に対して揺動自在に取り付けられフィルムを圧着する圧着板１４６を備えるアッパーガイド１０８と、アッパーガイド１０８の姿勢を保持するマグネット部材１１０と、アッパーガイド内部に配設される第１遮光部材１１２と、アッパーガイド１０８の上部に磁着される第２遮光部材１１４とから構成される。
【００２４】
マスク１０６は板体１１５の裏面に基台１０２に磁着させるためのマグネット１１６が４個配置されている。また、板体１１５の略中央には画像読取装置１４の光源部３０から照射された読取光を透過させるための孔部１１８が形成されると共に、その孔部１１８を挟んでフィルムの画像コマ等を位置決めする際の一対のガイド１２０Ａ、１２０Ｂが突出形成されている。
【００２５】
また、板体１１５の矢印Ｘ２方向端部（図４参照、以下、Ｘ方向後端という）には切欠１２２が形成されており、切欠１２２に沿って軸受部材１２４が板体１１５に螺着されている。軸受部材１２４には、アッパーガイド１０８の回転軸となる軸体１４０が挿通される孔部を有する一対の軸受１２６が立設されている。また、軸受部材１２４と板体１１５が積層されることによって切欠部１２２に沿ってガイド溝１２８が形成されている。
【００２６】
一方、この切欠１２２に装着されるマグネット部材１１０のＹ方向両側面にはＸ方向に延在する凸部１３０が形成されている。したがって、この凸部１３０をガイド溝１２８に進入させてマグネット部材１１０を切欠１２２に挿入することにより、マグネット部材１１０がマスク１０６（板体１１５）に装着されている。
【００２７】
また、マグネット部材１１０の上面には、アッパーガイド１０８の開放姿勢を保持するためのマグネット１３２が配置されている。
【００２８】
一方、マスク１０６の上部に配置されるアッパーガイド１０８は、略星型形状に形成された板体１３４を備え、板体１３４の矢印Ｘ１方向端部（図４参照、以下、Ｘ方向先端という）にはアッパーガイド１０８の操作時に使用する一対の舌片１３５が形成されている。また、板体１３４のＸ方向後端の凸部１３６には、軸体１４０が挿通される孔部を有する一対の軸受１３８が形成されている。この軸受１３８とマスク１０６の軸受１２６に軸体１４０を挿通することによって、アッパーガイド１０８は軸体１４０を中心としてマスク１０６に対して開閉（揺動）自在とされている。
【００２９】
また、凸部１３６のＸ方向後端側には、マグネット部材１１０のマグネット１３２に磁着する舌片１３６Ａが突出形成されている。
【００３０】
さらに、板体１３４の略中心には孔部１４２が形成されており、板体１３４の孔部１４２の縁から４本のピン１４４を介して圧着板１４６が板体１３４の下方に配設されている。圧着板１４６は、マスク１０６の孔部１１８に対応する孔部１４８が形成された枠体１５０であり、ピン１４４に巻回されたスプリング１５２によって、マスク１０６の読取位置に設置されるフィルムＦを板体１１５側に弾性的に押圧する構成である。
【００３１】
この圧着板１４６に接着される第１遮光部材１１２は、孔部１１８に対応する孔部１５４が形成された枠体１５６と、枠体１５６の底面に沿って矢印Ｙ方向（図４参照、以下、Ｙ方向という）両端部に突出形成された舌片１５８とを備える。なお、舌片１５８の裏面には両面テープが取り付けられている。
【００３２】
一方、アッパーガイド１０８の板体１３４に形成された孔部１４２は、第１遮光部材１１２が上部から挿入できるように、舌片１５８に対応してＹ方向両端部に凹部１４２Ａが形成されている。したがって、第１遮光部材１１２をアッパーガイド１０８の孔部１４２に上部から挿入し、圧着板１４６の枠体１５０上に第１遮光部材１１２の舌片１５８を載置することによって圧着板１４６上に第１遮光部材１１２が接着されている。圧着板１４６上に接着された第１遮光部材１１２の枠体１５６は、孔部１４２から板体１３４の上部に突出し、後述する第２遮光部材１１４の孔部１６６内に到達する（図６参照）。
【００３３】
さらに、アッパーガイド１０８の上部に配設される第２遮光部材１１４は、図５に示すように、下部材１６０と、上部材１６２と、下部材１６０と上部材１６２に上下端を固着された蛇腹状の遮光カーテン１６４とから基本的に構成される。
【００３４】
下部材１６０には、第１遮光部材１１２の枠体１５６が進入可能な孔部１６６が形成されると共に、孔部１６６のＹ方向両側に一対のピボット１６８が立設され、Ｘ方向後端に一対の矩形体形状の規制部材１７０が立設されている。
【００３５】
一方、上部材１６２には、下部材１６０の孔部１６６に対応する孔部１７２が形成されると共に、孔部１７２のＹ方向両側にピボット１６８を受ける半球状の凹部が形成されている軸受１７４と、Ｘ方向後端に規制部材１７０が進入する凹部１７６が形成された受け部材１７８を備える。凹部１７６は、規制部材１７０よりも若干大きく形成されている。また、ピボット１６８が軸受１７４を介して上部材１６２を支持することによって、下部材１６０に対して上部材１６２が揺動自在とされる。また、規制部材１７０が受け部材１７８の凹部１７６に進入することによって、揺動時の上部材１６２の挙動に規制を加え、上部材１６２が下部材１６０に対して捩じれて遮光カーテン１７０が破断することを回避するものである。
【００３６】
さらに、上部材１６２の上面には、一対の磁着部材１８０（図４参照）が設けられており、画像読取部６０のケーシング４４の下面４４Ａに設けられたマグネット２００（図６参照）と磁着して第２遮光部材１１４（上部材１６２）をケーシング４４に接着させるものである。
【００３７】
さらにまた、上部材１６２のＸ方向先端には、一対の舌片１８２が設けられている。
【００３８】
一方、遮光カーテン１６４は、一端が下部材１６０と周回する枠部材１８４の間に挟まれて固着されており、他端が上部材１６２と周回する枠部材１８６に挟まれて固着されている。すなわち、下部材１６０と上部材１６２は、遮光カーテン１６４を介して接続されている。また、下部材１６０と上部材１６２の間は枠体１８４、１８６に沿って周回する遮光カーテン１６４によって完全に外部から遮光されており、上部材１６２の変位（揺動等）に対応して蛇腹状の遮光カーテン１６４が伸縮自在とされている。
【００３９】
なお、このように構成される第２遮光部材１１４は、下部材１６０の下面に取り付けられた両面テープでアッパーガイド１０８の上面に接着されている。
【００４０】
このように構成されたフィルムキャリア１００の作用について説明する。
【００４１】
フィルムキャリア１００は、作業テーブル２２上でスライドされて読取部６０のケーシング４４の下部にセットされる。この状態では、フィルムキャリア３８の基台１０２上に載置されたマスク機構１０４を、図６に示す（基台１０２の図示省略）。すなわち、アッパーガイド１０８は、水平状態とされ、その自重で圧着板１４６がマスク１０６の板体１１５に圧接されている。また、第２遮光部材１１４は、上部材１６２が下部材１６０のピボット１６８で軸支されている状態とされている。
【００４２】
ここで、このマスク機構１０４にフィルムＦをセットする場合には、次のように作業を行なう。すなわち、オペレータは、アッパーガイド１０８の舌片１３５を掴んで持ち上げることにより、アッパーガイド１０８はマスク１０６の軸受け１２６に支持された軸体１４０を中心として図６上、時計回りに回転する。この結果、圧着板１４６はマスク１０６（板体１１５）から離間して圧着板１４６の枠体１５０とマスク１０６のＸ方向先端側のガイド１２０Ａの間に間隙が生ずる（図７参照）。
【００４３】
なお、この回転によってアッパーガイド１０８のＸ方向後端の舌片１３６Ａがマグネット部材１１０のマグネット１３２と当接して磁着される。この結果、アッパーガイド１０８の回転量が規制されると共に、その開放姿勢が保持される。
【００４４】
一方、上記回転によってケーシング４４の下面４４Ａに接近した第２遮光部材１１４の磁着部材１８０がケーシング４４のマグネット２００．に磁着する（図８参照）。すなわち、上部材１６２がケーシング４４の下面４４Ａに磁着された状態となる。この結果、上部材１６２の軸受１７４が下部材１６０のピボット１６８から離間して浮いた状態となる。
【００４５】
この際、下部材１６０の規制部材１７０が受け部材１７８の凹部１７６内に進入しているため、磁着する際に上部材１６２に対して捩じり力が作用しても下部材１６０に対する捩じり運動が規制され、上部材１６２の下部材１６０に対する捩じり運動によって遮光カバー１６４が破断することを回避できる。
【００４６】
このようにアッパーガイド１０８の開放姿勢が保持されている状態で、オペレータは圧着板１４６の枠体１５０とマスク１０６のガイド１２０Ａの間からガイド１２０Ａ、１２０Ｂの間にフィルムを進入させ（図８矢印参照）、ディスプレイ１８で視認しながら、コマ位置を孔部１１８上（読取位置）に位置決めする。
【００４７】
フィルムＦの位置決め終了後に、オペレータはアッパーガイド１０８の舌片１３５を押し下げる。この結果、アッパーガイド１０８のＸ方向後端の舌片１３６Ａが磁力に抗してマグネット１３２から離間し、アッパーガイド１０８は軸体１４０を中心にして反時計回りに回転する。この結果、圧着板１４６が所定の弾性力でマスク１０６の孔部１１８上（読取位置）に位置決めされたフィルムＦを板体１１５に圧着させる（図９参照）。
【００４８】
この状態で、画像読取装置１４の光源部３０から読取光が照射されることにより、読取光はマスク１０６の孔部１１８、圧着板１４６の枠体１５０の孔部１４８、さらに第１遮光部材１１２の孔部１５４を通過し、第２遮光部材１１４の遮光カーテン１６４の内側を通過して孔部１７２を介してケーシング４４の内部に進入し、ＣＣＤ７４に入射する。
【００４９】
したがって、フィルムキャリア３８（フィルムＦ）から読取部６０のケーシング４４の内部まで読取光が通過する光路が、外部から完全に遮光され、良好な画像読取が実現する。
【００５０】
また、フィルムＦをマスク１０６の読取位置に挿入、位置決めするためにアッパーガイド１０８を開放する動作によって第２遮光部材１１４の上部材１６２がケーシング４４に自動的に磁着すると共に、位置決めされたフィルムＦを圧着するためにアッパーガイド１０８を閉塞しても第２遮光部材１１４（上部材１６２）のケーシング４４に対する磁着状態が維持される。すなわち、アッパーガイド１０８の開閉動作だけで第１遮光部材１１２と第２遮光部材１１４によってフィルムＦから画像読取部６０までの光路が完全に遮光される。したがって、オペレータは遮光するために特別な動作をする必要がなく、操作性に優れる。
【００５１】
また、フィルムＦを交換するために、アッパーガイド１０８を開閉しても遮光状態が維持されるため、操作性に優れる。
【００５２】
なお、この遮光状態時に第２遮光部材１１４の下部材１６０と上部材１６２が完全に離間しており（図９参照）、蛇腹状の遮光カーテン１６４のみで接続されているため、読取部６０の振動が上部材１６２から下部材１６０に伝達されることはなく、読取精度が向上する。
【００５３】
なお、遮光状態を解除する場合には、第２遮光部材１１４の舌片１８２を押し下げて上部材１６２とケーシング４４との磁着状態を解除することによって遮光状態を解除しても良いし、フィルムキャリア３８をセット位置から離脱させる（作業テーブル２２上を手前にスライドさせる）ことによって上記磁着状態を解除して遮光状態を解除しても良い。
【００５４】
【発明の効果】
本発明のフィルムキャリアは、遮光性と操作性に優れる。
【図面の簡単な説明】
【図１】本発明の一実施形態に係るフィルムキャリアが取付けられる画像読取装置の外観図である。
【図２】本発明の一実施形態に係るフィルムキャリアが取付けられる画像読取装置の光学系の側面断面図である。
【図３】本発明の一実施形態に係るフィルムキャリアの斜視図である。
【図４】本発明の一実施形態に係るマスク機構の分解斜視図である。
【図５】本発明の一実施形態に係る第２遮光部材の分解斜視図である。
【図６】本発明の一実施形態に係るマスク機構の動作状態説明図である。
【図７】本発明の一実施形態に係るマスク機構の動作状態説明図である。
【図８】本発明の一実施形態に係るマスク機構の動作状態説明図である。
【図９】本発明の一実施形態に係るマスク機構の動作状態説明図である。
【符号の説明】
３８…フィルムキャリア
１０６…マスク
１０８…アッパーガイド（圧着部材）
１１２…第１遮光部材
１１４…第２遮光部材（遮光部材）
【図１】
2004117548.tif 000003
【図２】
2004117548.tif 000004
【図３】
2004117548.tif 000005
【図４】
2004117548.tif 000006
【図５】
2004117548.tif 000007
【図６】
2004117548.tif 000008
【図７】
2004117548.tif 000009
【図８】
2004117548.tif 000010
【図９】
2004117548.tif 000011